(57)【特許請求の範囲】
【請求項１】
上面が開口した容器本体と、パウダーを充填され前記容器本体内部に着脱可能に取り付けられるレフィル容器とを有するパウダー容器であって、
前記レフィル容器は上面が開口し前記パウダーを充填する充填部と、前記充填部の開口部と略同一面に形成された天面と、前記天面に設けられたスリットと、前記スリットから引き出し可能に取り付けた帯状のつまみとから構成したことを特徴とするパウダー容器。
【請求項２】
前記つまみとは帯状のつまみ本体の両端に前記スリットを通過不能な端部を形成することにより構成したことを特徴とする請求項１記載のパウダー容器。
【請求項３】
前記つまみとは一端を前記天面の裏側または前記充填部の外面に接合させたことを特徴とする請求項１記載のパウダー容器。
【発明の詳細な説明】
【０００１】
【発明の属する技術分野】
本発明はパウダーを充填したレフィル容器を容器本体内に着脱可能に取り付けられたパウダー容器に関するものであって、前記レフィル容器の着脱を容易にするものである。
【０００２】
【従来の技術】
資源の有効活用などの観点から、コンパクト容器やパウダー容器などにおいて内容物のみを詰め替えるレフィル構造を有することが望ましい。従来から、たとえばレフィル容器を接着剤等にて本体容器の底面に貼着するものや、パウダー容器の内側壁にリブを突設し、レフィル容器の上端部にフランジ部を形成して、該フランジ部の外形寸法を前記リブの内径寸法よりも大寸に形成することにより容器本体にレフィル容器を係止させた容器が生産されている。
【０００３】
【発明が解決しようとする課題】
上記した従来のパウダー容器のように、接着剤やフランジを使用してレフィル容器を容器本体に取り付ける場合、通常レフィル容器の端部が見えないよう組み込むことが外観上良好である。しかしこれでは分離させるにあたってつかみ所がなく、充分な力を加えにくいという問題がある。ここでスリットなどを設けてレフィル容器の端部をなるべく少なく露出させることも考えられるが、別途ドライバー等の道具が必要となってしまって分離に際して簡便でない。
【０００４】
そこで本発明は、レフィル容器の端部が隠蔽されるよう組み込むことが可能であり、且つ分離に際して簡便に力を加えうるパウダー容器を提供することを目的としている。
【０００５】
【課題を解決するための手段】
上記課題を解決するために本発明に係るパウダー容器は、上面が開口した容器本体と、パウダーを充填され前記容器本体内部に着脱可能に取り付けられるレフィル容器とを有するパウダー容器であって、前記レフィル容器は上面が開口し前記パウダーを充填する充填部と、前記充填部の開口部と略同一面に形成された天面と、前記天面に設けられたスリットと、前記スリットから引き出し可能に取り付けた帯状のつまみとから構成したことを特徴とする。
【０００６】
【発明の実施の形態】
本発明に係るパウダー容器の一実施形態について、図を用いて説明する。図１は本実施形態に係るパウダー容器の全体構成図、図２はパウダー容器の斜視図、図３はレフィル容器の部分拡大断面図である。
【０００７】
図１に示すように、本実施形態に係るパウダー容器は、上面が開口した容器本体１、容器本体１を上方から覆う蓋体２、及び容器本体１内に組み付けられるレフィル容器５とを有している。レフィル容器５内にはパウダー10が充填されており、その上にはパフ４が載置されている。
【０００８】
図２に示すように、レフィル容器５は充填部５ａと、充填部５ａの開口部と略同一面に形成された天面５ｂとを有している。天面５ｂの端部には複数の係止爪５ｃが設けられており、これに対応して容器本体１には複数の係止溝１ａが設けられている。レフィル容器５を容器本体１内に挿入した際には、これら係止爪５ｃが係止溝１ａに係合することによって互いに接合される。
【０００９】
なお、レフィル容器５と容器本体１との接合は、レフィル容器５の底に接着剤や両面テープ等によって軽く接着する構造としても良く、またこれと係止爪５ｃとを共に用いることでも良い。
【００１０】
また天面５ｂにはスリット５ｄが設けられており、これにつまみ６が取り付けられている。つまみ６は樹脂にて一体に形成されており、帯状のつまみ本体６ａ上端に把持部６ｂを有し、スリット５ｄに通して下端を熱などによって変形させることにより下端にストッパー６ｃを設けている。このつまみ６の把持部６ｂ及びストッパー６ｃはスリット５ｄを通過しない大きさに形成されている。また把持部６ｂの先端は天面５ｂから持ち上がる如く折れ曲がっており、掴みやすいよう構成されている。
【００１１】
上記の如く構成したパウダー容器に於いて、充填されたパウダー10を使用している間は、図3(a)に示すようにつまみ６がスリット５ｄ内に垂れ下がっている。そしてパウダー10を使い切った際には、つまみ６の把持部６ｂを掴んで、図3(b)に示す如くつまみ６をスリット５ｄから引き出す。つまみ６を引き出したら把持部６ｂ及びつまみ本体６ａを掴んでこれを引くことができ、これにより天面５ｂに上方へ力が加えられ、係止爪５ｃが撓むことにより係止溝１ａとの係止が解除されて、レフィル容器５を容器本体１から取り外すことが可能となる。
【００１２】
すなわち、レフィル容器５を取り外すに至るまではつまみ６において天面５ｂ上に現れているのは把持部６ｂのみであって、つまみ６の全体は露出しない。したがって化粧時にパフなどの化粧道具が干渉することがなく、使用感の良いものとすることができる。また把持部６ｂを掴んでつまみ６を引き出すことにより取り外すに際して力を加えやすく、取り扱いの簡便な容器とすることができる。
【００１３】
次に、本発明に係る第二実施形態について図を用いて説明する。図４に示すのは本実施形態に係るパウダー容器のレフィル容器の斜視図であって、上記第一実施形態に於いてつまみ部分の他の構成を説明するものである。上記第一実施形態と説明の重複する部分については同一の符号を付して説明を省略する。
【００１４】
上記実施形態に於いてはつまみ６のつまみ本体６ａを剛性を有する樹脂製の部材として説明したが、図4(a)に示すつまみ７は可撓性を有する帯状の部材を以て構成している。つまみ７のつまみ本体７ａの両端にはつまみ端部７ｂ、７ｃが接着あるいは溶着されており、スリット５ｄを通過しないよう構成されている。
【００１５】
上記の如く構成したつまみ７は、図4(b)に示す如く自重によってスリット５ｄから垂れ下がり、つまみ端部７ｂによって引っかかっている。ここでレフィル容器５を取り外す際には、つまみ端部７ｂを摘んでつまみ本体７ａを引き出し、上記第一実施形態と同様に、これを掴んで天面５ｂを引き上げることができる。
【００１６】
次に、本発明に係る第三実施形態について図を用いて説明する。図５に示すのは本実施形態に係るパウダー容器のレフィル容器の斜視図であって、上記第一実施形態と説明の重複する部分については同一の符号を付して説明を省略する。
【００１７】
上記第一および第二実施形態に於いてはつまみ本体の下端にストッパー６ｃ乃至つまみ端部７ｃを設けて示したが、本発明はこれに限定するものではなく、つまみがレフィル容器５から分離してしまうことを防げればよい。
【００１８】
図５に示すレフィル容器５においてはつまみ８は可撓性を有する材質にて構成されており、その下端８ｂは天面５ｂの下面に接合されている。また天面５ｂの上方に於いてつまみ８の先端にはループが形成されており、把持部８ａが構成されている。これによって把持部８ａがスリット５ｄに入り込んでしまうことを防ぎ、またつまみ８を引き出しやすいように構成されている。
【００１９】
上記の如く構成することにより、つまみ８の両端にストッパーなどの別部材を取り付ける必要が無く、簡略な構成とし、生産コストを低減させることが可能となる。
【００２０】
また上記第三実施形態に於いてはつまみ８の下端８ｂを天面５ｂの下面に接合させて示したが、これは充填部５ａの外周壁に接合させることでも良い。図６に示すのは第三実施形態の他の例であって、つまみ９の上端にはループ状の把持部９ａが形成されており、下端９ｂは充填部５ａの外周壁に接合されている。
【００２１】
ここで充填部５ａの外周壁には切欠が設けられ、これに下端９ｂを挟み込むようにしてブロック５ｅがはめ込まれている。このように構成することにより高い接合強度を得ることができ、つまみ９の把持部９ａを強く引っ張った場合にもこれに容易に耐えることが可能となる。
【００２２】
【発明の効果】
上記の説明した如く、本発明に係るパウダー容器においては、レフィル容器の天面に引き出し可能なつまみを設けたことにより、パウダーを使い切った後にこれを把持してレフィル容器を容器本体より取り外すことが可能となる。従ってレフィル容器を使用中に露出する機能的な部分が極めて少なく、分離に際しては別途道具を必要とすることなく且つ容易に分離させることができる簡便な容器を提供することができる。
【００２３】
また帯状のつまみの端部をレフィル容器に接合させたことにより、構成を簡略なものとすることができる。
【図面の簡単な説明】
【図１】第一実施形態に係るパウダー容器の全体構成図である。
【図２】パウダー容器の斜視図である。
【図３】レフィル容器の部分拡大断面図である。
【図４】第二実施形態に係るパウダー容器の斜視図である。
【図５】第三実施形態に係るパウダー容器の斜視図である。
【図６】第三実施形態の他の例である。
【符号の説明】
１    …容器本体
１ａ  …係止溝
２    …蓋体
４    …パフ
５    …レフィル容器
５ａ  …充填部
５ｂ  …天面
５ｃ  …係止爪
５ｄ  …スリット
６    …つまみ
６ａ  …つまみ本体
６ｂ  …把持部
６ｃ  …ストッパー
７    …つまみ
７ａ  …つまみ本体
７ｂ  …つまみ端部
７ｃ  …つまみ端部
８    …つまみ
８ａ  …把持部
８ｂ  …下端
９    …つまみ
９ａ  …把持部
９ｂ  …下端
10    …パウダー
【図１】
0004034413.tif 000002
【図２】
0004034413.tif 000003
【図３】
0004034413.tif 000004
【図４】
0004034413.tif 000005
【図５】
0004034413.tif 000006
【図６】
0004034413.tif 000007